(57)【特許請求の範囲】
【請求項１】
データ伝送接続の伝送容量を動的に調整する方法であって、
ネットワークエンドノード（ＮＥＮ１）で、
クライアント（Ｃ１）から第１のユーザネットワークインターフェイス（ＵＮＩ１）を介して、
入力タイムスロット（ＴＳ１、…、ＴＳ４）を搬送する入力フレーム構造時分割多重信号（ＴＤＭＵ）、および
少なくとも１つの入力タイムスロット（ＴＳ２）に対して、既存のデータ伝送接続（ＤＴＣ１）を識別する識別子（ＩＤ）、および対応する入力タイムスロット（ＴＳ２）に対する前記クライアント（Ｃ１）によって要求されるステータスを示すステータスインジケータ（ＳＩ）を有する対応するサブセット（ＲＥＱ２）を含む、要求データセット（ＲＥＱ）を受信するステップと、
前記ステータスインジケータ（ＳＩ）が、前記入力タイムスロット（ＴＳ２）を前記データ伝送接続（ＤＴＣ１）に追加する、または前記入力タイムスロット（ＴＳ２）を前記データ伝送接続（ＤＴＣ１）から取り除く要求を示す場合に、前記データ伝送接続（ＤＴＣ１）の伝送容量を調整するステップと、
あるいは、前記ステータスインジケータ（ＳＩ）が前記入力タイムスロット（ＴＳ２）内の有効データを示す場合、遠端ネットワークエンドノード（ＮＥＮ２）に前記既存のデータ伝送接続（ＤＴＣ１）を介して前記入力タイムスロットのデータを伝送するステップと、
第２のユーザネットワークインターフェイス（ＵＮＩ２）を介して前記遠端ネットワークエンドノードに接続された遠隔クライアント（Ｃ２）に前記要求されたステータスを信号として送るために、前記遠端ネットワークエンドノード（ＮＥＮ２）に前記要求データサブセット（ＲＥＱ２）を伝送するステップとを含む、方法。
【請求項２】
前記ネットワークエンドノード（ＮＥＮ１）が、
前記既存のデータ伝送接続（ＤＴＣ１）を識別する識別子（ＩＤ）、および前記要求されたステータスに対する前記遠隔クライアント（Ｃ２）による応答を示す応答インジケータ（ＲＩ）を有する応答データ（ＲＥＳ１）のサブセットを前記遠端ネットワークエンドノード（ＮＥＮ２）から受信し、
前記入力タイムスロット（ＴＳ２）に対応する確認データ（ＣＯＮ２）のサブセットの上に前記応答データ（ＲＥＳ１）のサブセットをマッピングし、
前記クライアント（Ｃ１）に前記応答を信号として送るために、前記確認データ（ＣＯＮ２）のサブセットを前記第１のユーザネットワークインターフェイス（ＵＮＩ１）を介して前記クライアント（Ｃ１）に伝送する、請求項１に記載の方法。
【請求項３】
前記遠端ネットワークエンドノード（ＮＥＮ２）が、
出力タイムスロット（ＴＳ１’、…、ＴＳ４’）を搬送する出力フレーム構造時分割多重信号（ＴＤＭ’）を前記第２のユーザネットワークインターフェイス（ＵＮＩ２）を介して前記遠隔クライアント（Ｃ２）に送信し、
前記出力タイムスロット（ＴＳ１’）の少なくとも１つの上への前記既存のデータ伝送（ＤＴＣ１）接続を介して受信されたデータに対するマッピングを判断し、
前記ネットワークエンドノード（ＮＥＮ１）から受信された前記要求データサブセット（ＲＥＱ２）の前記ステータスインジケータ（ＳＩ）が伝送されている有効データを示す場合に、前記少なくとも１つの出力タイムスロット（ＴＳ１’）内で前記遠隔クライアント（Ｃ２）に前記データを伝送し、
あるいは、前記受信した要求データサブセット（ＲＥＱ２）の前記ステータスインジケータ（ＳＩ）が、前記データ伝送接続（ＤＴＣ１）に入力タイムスロットを追加する、または入力タイムスロットを前記データ伝送接続（ＤＴＣ１）から取り除く要求を示す場合に、
それぞれ、出力タイムスロット（ＴＳ１’）を前記データ伝送接続（ＤＴＣ１）に加える、または出力タイムスロット（ＴＳ１’）を前記データ伝送接続（ＤＴＣ１）から取り除くことを含む、前記既存のデータ伝送接続（ＤＴＣ１）を介して受信されたデータに対する新規のマッピングを判断し、
前記追加したまたは取り除いた出力タイムスロット（ＴＳ１’）に対応する表示データサブセット（ＩＮＤ１）の上に前記受信した要求データサブセット（ＲＥＱ２）をマッピングし、
それぞれ、前記出力タイムスロット（ＴＳ１’）を前記データ伝送接続（ＤＴＣ１）に加える、または出力タイムスロット（ＴＳ１’）を前記データ伝送接続（ＤＴＣ１）から取り除く前記要求を前記遠隔クライアント（Ｃ２）に信号として送るために、前記遠隔クライアント（Ｃ２）に前記第２のユーザネットワークインターフェイス（ＵＮＩ２）を介して前記表示データセット（ＩＮＤ）を伝送する、請求項１または２に記載の方法。
【請求項４】
前記遠端ネットワークエンドノード（ＮＥＮ２）が、
それぞれ、前記データ伝送（ＤＴＣ１）に加えられる、またはそこから取り除かれる前記出力タイムスロット（ＴＳ１’）に対応する、前記応答データサブセット（ＲＥＳ１）を前記遠隔クライアント（Ｃ２）から前記第２のユーザネットワークインターフェイス（ＵＮＩ２）を介して受信し、
前記クライアント（Ｃ１）に前記応答を信号として送るために、前記応答データサブセット（ＲＥＳ１）を前記ネットワークエンドノード（ＮＥＮ１）に伝送する、請求項２または３に記載の方法。
【請求項５】
ユーザネットワークインターフェイスを介してクライアント（Ｃ）からタイムスロットを搬送するフレーム構造時分割多重信号（ＴＤＭＵ）を受信するようになされた、時分割多重インターフェイスと、
少なくとも１つのタイムスロットに対して対応するサブセットを備えると共に、既存のデータ伝送接続を識別する識別子、および対応するタイムスロットに対して前記クライアント（Ｃ）によって要求されるステータスを示すステータスインジケータを有する要求データセット（ＲＥＱ）を前記ユーザネットワークインターフェイスを介して前記クライアント（Ｃ）から受信し、
前記ステータスインジケータが、前記タイムスロットを前記データ伝送接続に加える、または前記タイムスロットを前記データ伝送接続から取り除く要求を示す場合に、前記データ伝送接続の伝送容量を調整し、前記調整は別のネットワークデバイスとメッセージを交換する前記コントローラによって行なわれ、
前記ステータスインジケータが前記タイムスロット内の有効データを示す場合に、前記データ伝送接続を介した遠端ネットワークエンドノードへの前記タイムスロットのデータの伝送のために前記ネットワークエンドポイントノード（ＮＥＮ）を構成し、
第２のユーザネットワークインターフェイス（ＵＮＩ２）を介して前記遠端ネットワークエンドノードに接続された遠隔クライアントに前記要求されたステータスを信号として送るために、前記要求データサブセットを前記遠端ネットワークエンドノードに伝送するようになされた制御システムを備える、伝送ネットワーク用ネットワークエンドポイントノード（ＮＥＮ）。
【請求項６】
ユーザネットワークインターフェイスを介してネットワークエンドポイントノード（ＮＥＮ）にタイムスロットを搬送するフレーム構造時分割多重信号（ＴＤＭＵ）を送信するようになされた時分割多重インターフェイスと、
前記タイムスロットの少なくとも１つに対して、前記ネットワークエンドポイントノードに存在するデータ伝送接続を識別する識別子、およびタイムスロットに対応する前記クライアント（Ｃ）によって要求されるステータスを示すステータスインジケータを有する対応するサブセットを含む、要求データセット（ＲＥＱ）を前記ユーザネットワークインターフェイスを介して前記ネットワークエンドポイントノード（ＮＥＮ）に伝送し、
前記追加または取り除きの前記要求を示すそれぞれの値に前記ステータスインジケータを設定することによって、前記データ伝送接続への前記タイムスロットの追加、または前記データ伝送接続からの前記タイムスロットの取り除きを前記ネットワークエンドポイントノード（ＮＥＮ）に要求し、
前記タイムスロット内の有効データを示すそれぞれの値に前記ステータスインジケータを設定することによって、前記データ伝送接続を介して前記タイムスロット内に搬送されるデータの伝送を前記ネットワークエンドポイントノード（ＮＥＮ）に要求するようになされた制御システムとを備えた、クライアントデバイス（Ｃ）。
【発明の詳細な説明】
【技術分野】
【０００１】
本発明は、データ伝送の伝送容量を動的に調整する方法に関する。
【背景技術】
【０００２】
クライアントは、ネットワークによって提供される伝送接続を介して遠隔クライアントにデータを伝送するための時分割多重化（ＴＤＭ）の伝送技術に頼る可能性がある。クライアントは、伝送接続の伝送容量を調整したい可能性がある。
【０００３】
データ伝送が、クライアントから遠隔クライアントへのネットワークによる伝送接続を介して伝送される仮想コンテナ（ＶＣ）を介して行なわれる場合、クライアントは、このようなデータ伝送接続に沿って別の第２の仮想コンテナを使用することによって伝送容量を増加させることができる。上手にそうするためには、クライアントは２つのステップを行なわなければならない。第１のステップは、このデータ伝送接続のために、ネットワークによって追加の仮想コンテナが用意される要求をネットワークに送信するステップである。この第１のステップは、伝送容量を調整するためのネットワークへの要求である。クライアントがネットワークによって追加の仮想コンテナを用意されると、仮想コンテナは、仮想連結として知られている、同じデータ伝送接続に沿ってデータ伝送のために使用しなければならない。仮想連結を確立するためには、クライアントは、データ伝送接続を介したデータ伝送のために異なる仮想コンテナをどのようにおよびいつ使用するかを、第２のクライアントと交渉するためのリンク容量調整スキーム（ＬＣＡＳ）として知られるプロトコルにより、遠隔クライアントとメッセージを交換する第２のステップを行なわなければならない。ＬＣＡＳプロトコルは、いくつかの仮想コンテナが仮想連結のためにネットワークによって提供された場合に、２つのクライアント間のデータ伝送接続の容量のヒットレス調整を保証するステップを提供する。ＬＣＡＳプロトコルは、追加の伝送容量に対する第１の要求を発行するステップを与えない。
【０００４】
したがって、第１のクライアントは、２つの異なるステップ、追加の仮想コンテナの形で追加の容量に対する要求としてネットワークに要求メッセージを送信する第１のステップと、データ伝送接続の伝送容量のヒットレス変更を保証するために、ＬＣＡＳプロトコルを介して第２のクライアントとメッセージを交換する第２のステップとを行なわなければならない。
【発明の概要】
【発明が解決しようとする課題】
【０００５】
本発明の目的は、データ伝送接続の容量を上手に変更し、変更した伝送容量に関して遠隔クライアントと同意するために、クライアントによって行なわれるメッセージ交換量を少なくすることである。
【課題を解決するための手段】
【０００６】
この目的で、データ伝送接続の伝送容量を動的に調整する新しい方法が提案されている。この方法は、ネットワークエンドノードで異なるステップを含んでいる。入力タイムスロットを搬送する入力フレーム構造時分割多重信号（ＴＤＭ）は、クライアントから受信される。さらに、少なくとも１つの入力タイムスロットに対して対応するサブセットを含む要求データセットが受信される。サブセットは、既存のデータ伝送接続を識別する識別子と、対応するタイムスロットに対してクライアントによって要求されるステータスをネットワークエンドノードに示すステータスインジケータとを有する。
【０００７】
ステータスインジケータが、データ伝送接続にタイムスロットを追加する、またはデータ伝送接続からタイムスロットを取り除く要求を示す場合、ネットワークエンドノードは、データ伝送接続の伝送容量を調整する。ステータスインジケータが入力タイムスロット内の有効データを示す場合、ネットワークエンドノードは、入力タイムスロットのデータを既存のデータ伝送接続を介して遠端ネットワークエンドノードに伝送する。
【０００８】
さらに、ネットワークエンドノードは、遠隔クライアントに要求されたステータスを信号として送るために、要求データサブセットを遠端ネットワークエンドノードに伝送する。
【０００９】
クライアントから受信した要求データは、信号化の２つの目的を組み合わせる。第１の目的は、データ伝送接続のために調整した容量をネットワークから要求することである。ネットワークが要求データにしたがって容量を自動的に調整するので、この第１の目的は達成される。第２の目的は、遠隔クライアントとメッセージを交換することによって、伝送容量のヒットレス変更を保証することである。データ伝送接続にタイムスロットを追加する、またはデータ伝送接続からタイムスロットを取り除く要求として要求データサブセットが、遠隔クライアントが接続されている遠端ネットワークエンドノードに伝送されるので、この第２の目的は達成される。
【００１０】
２つの目的でクライアントとネットワークエンドノードの間で行なわなければならない信号化量は、対応するタイムスロットに対する要求メッセージサブセットを交換するものだけである。
【００１１】
したがって、クライアントとネットワークエンドノードの間で要求データサブセットを交換するための提案されている方法は、同時に２つのこと、伝送容量の調整のためのネットワークへの要求、および伝送容量のヒットレス変更に関する同意のための遠隔クライアントへの要求を信号化する有利な解決法である。
【図面の簡単な説明】
【００１２】
【図１】仮想結合を使用して容量を調整するプロトコルのステップを示す図である。
【図２】クライアントおよびネットワークエンドノードによって交換されるＴＤＭ信号およびデータセットを示す図である。
【図３】データ伝送接続にタイムスロットを追加するプロトコルの異なるステップを示す図である。
【図４】データ伝送接続からタイムスロットを取り除くプロトコルの異なるステップを示す図である。
【図５】タイムスロットを保守モードに設定するプロトコルの異なるステップを示す図である。
【図６】クライアントおよびネットワークエンドノードによって、その間のデータ伝送接続の２つの反対方向に沿って、交換されるＴＤＭ信号およびデータセットを示す図である。
【図７】ネットワークエンドポイントノードを示す図である。
【図８】クライアントデバイスを示す図である。
【発明を実施するための形態】
【００１３】
図１は、２つのクライアントが、仮想コンテナの仮想結合を使用してデータ伝送接続を介して接続される場合に、伝送接続の伝送容量を調整するために、従来技術によって行なわれるステップを示している。第１のクライアントＣ１は、第１のユーザネットワークインターフェイスＵＮＩ１を介してネットワークＮに接続されている。第２のユーザネットワークインターフェイスＵＮＩ２を介して、第２のクライアントＣ２はまた、ネットワークＮに接続されている。データ伝送は、時分割多重化の技術を使用して行なわれる。クライアントＣ１は、クライアントＣ２へのデータ伝送接続ＤＴＣに沿ったデータ伝送のために、ネットワークＮによっていくつかの仮想コンテナを備えている。ネットワークＮは、同期デジタル階層（ＳＤＨ）型のネットワーク、または光学伝送ネットワーク（ＯＴＮ）であってもよい。
【００１４】
クライアントＣ１がデータ伝送接続ＤＴＣの容量を増加させたい場合、追加の伝送容量を与えるための要求Ｒ１をネットワークＮに送信する。ステップＳでは、ネットワークは、第１のユーザネットワークインターフェイスＵＮＩ１と第２のユーザネットワークインターフェイスＵＮＩ２の間のデータ伝送接続ＤＴＣのために別の仮想コンテナを割り当てることによって、ネットワーク内に追加の容量を構築する。ステップＰ１では、ネットワークは、第１のクライアントＣ１に追加の仮想コンテナを提供することによって、クライアントＣ１の要求に応じる。
【００１５】
増加させた容量でのデータ伝送のためにどのように別の仮想コンテナを使用するかに関してクライアントＣ２に同意するために、クライアントＣ１は、リンク容量調整スキーム（ＬＣＡＳ）と呼ばれるプロトコルを介してクライアントＣ２と通信しなければならない。
【００１６】
したがって、クライアント１は、クライアントＣ１とクライアントＣ２の間の伝送容量を増加させる２つの異なるステップ、追加の仮想コンテナの形の追加容量に対する要求Ｒ１としての第１のステップ、および変更した容量での仮想コンテナを介した変更データ伝送に関して同意するためのＬＣＡＳプロトコルを介してクライアントＣ２に信号を与える形の第２のステップを行なわなければならない。
【００１７】
（実施例１）
データ伝送接続の伝送容量を動的に調整し、遠隔クライアントに調整を信号として送る方法が提案されている。データ伝送接続は、第１のネットワークエンドノードで開始し、第２のネットワークエンドノードで終了する。データ伝送接続は、クライアント間のデータ伝送のために、クライアントにネットワークのネットワークエンドノードによって与えられる。
【００１８】
図２は、クライアントおよびネットワークエンドノードによって交換されるＴＤＭ信号およびデータセットを示している。
【００１９】
第１のクライアントＣ１は、第１のユーザネットワークインターフェイスＵＮＩ１を介して、入力タイムスロットＴＳ、この例では、４つの入力タイムスロットＴＳ１、ＴＳ２、ＴＳ３、ＴＳ４を含む入力フレーム構造ＴＤＭ信号ＴＤＭＵを第１のネットワークエンドノードＮＥＮ１に送信する。出力ＴＤＭ信号ＴＤＭＵ’は、第２のネットワークエンドノードＮＥＮ２によって第２のクライアントＣ２に送信される。この例では、出力ＴＤＭ信号ＴＤＭＵ’は、３つのタイムスロットＴＳ’を含んでおり、これらはタイムスロットＴＳ１’、ＴＳ２’、ＴＳ３’である。
【００２０】
どの入力タイムスロットＴＳがどのデータ伝送接続を介して伝送されるべきかをネットワークに向かって信号を与える目的で、クライアントＣ１はさらに、ネットワークエンドノードＮＥＮ１に１セットの要求データＲＥＱを伝送する。要求データのこのセットは、少なくとも１つの入力タイムスロットＴＳ２に対して、要求データＲＥＱの対応するサブセットＲＥＱ２を含んでいる。別の方法では、要求データＲＥＱのセットは、各入力タイムスロットＴＳ１、ＴＳ２、ＴＳ３、ＴＳ４に対して、要求データの対応するサブセットＲＥＱ１、ＲＥＱ２、ＲＥＱ３、ＲＥＱ４を含んでいる。
【００２１】
サブセットＲＥＱ２は、ネットワークエンドノードＮＥＮ１に存在するデータ伝送接続ＤＴＣ１を識別するための識別子ＩＤを含んでおり、これを介して、対応する入力タイムスロットＴＳ２のデータは遠隔クライアントＣ２に伝送されるべきである。対応するタイムスロットＴＳ２に対する識別子ＩＤを提供することによって、どのデータ伝送接続ＤＴＣ１を介して、およびどの遠隔クライアントＣ２に、対応するタイムスロットＴＳ２のデータが伝送されるべきかが独自に規定される。サブセットは、サブセットが対応するタイムスロットを識別するためのタイムスロット識別子ＴＳＩを含んでいることが好ましい。
【００２２】
さらに、要求データＲＥＱのサブセットＲＥＱ２は、ネットワークエンドノードＮＥＮ１に、対応する入力タイムスロットＴＳ２に対するクライアントＣ１によって要求されるステータスを示すためのステータスインジケータＳＩを含んでいる。このステータスインジケータＳ１を使用することによって、クライアントは、対応するタイムスロットＴＳ２がどのステータスを有するべきかをネットワークエンドノードＮＥＮ１に向かって信号として送ることが可能である。ステータスは、タイムスロットＴＳ２が識別された伝送接続ＤＴＣ１内に含まれるべきでありかつ有効データを搬送している、タイムスロットがあらゆるデータ伝達接続に含まれるべきではない、タイムスロットＴＳ２が識別されたデータ伝送接続ＤＴＣ１から取り除かれるべきである、タイムスロットＴＳ２が識別された伝送接続ＤＴＣ１に加えられるべきである、またはタイムスロットＴＳ２が保守データを搬送しているものである可能性があることが好ましい。異なるステータスは、以下に詳細に説明するように、それぞれの値をとるステータスインジケータによって示すことができる。
【００２３】
図２に示す例によると、入力タイムスロットＴＳ２は、データ伝送接続ＤＴＣ１を介して第２のクライアントＣ２に伝送されるものである。したがって、タイムスロットＴＳ２に対応する要求データＲＥＱ２のサブセットは、値ＤＴＣ１の識別子ＩＤを含んでいる。サブセットＲＥＱ１およびＲＥＱ３は、値０のＩＤを含んでおり、対応するタイムスロットＴＳ１、ＴＳ３は現在、あらゆるデータ伝送接続に関連していないことを示している。サブセットＲＥＱ４は、値ＤＴＣ２のＩＤを含んでおり、対応するタイムスロットＴＳ４のデータは、図２に示されていない別のデータ伝送接続ＤＣＴ２を介して、やはり図２に示されていない別の遠隔クライアントに伝送されるべきものであることを示している。
【００２４】
クライアントＣ１はタイムスロットＴＳ２およびＴＳ４を介して有効データ伝送を伝送するステータスを要求するので、対応するサブセットＲＥＱ２、ＲＥＱ４のステータスインジケータＳＩはそれぞれ値Ｖであり、有効データ伝送を示している。クライアントＣ１は他のタイムスロットＴＳ１およびＴＳ３を介したデータ伝送のないステータスを要求するので、対応するサブセットＲＥＱ１およびＲＥＱ３は、値０のステータスインジケータＳＩを含んでいる。
【００２５】
ネットワークエンドノードＮＥＮ１は、入力ＴＤＭ信号ＴＤＭＵ、および要求データＲＥＱのセットを受信する。受信した要求データのサブセットの識別子をチェックすることによって、ネットワークエンドノードＮＥＮ１は、どの入力タイムスロットが特定の伝送接続に関連しているかを判断する。さらに、サブセットのステータスインジケータＳＩをチェックすることによって、ネットワークエンドノードＮＥＮ１は、対応するタイムスロットに対してクライアントによって要求されるステータスを判断することが可能である。
【００２６】
図２の例によると、タイムスロットＴＳ２は、伝送接続ＤＴＣ１に関連しており、有効データを搬送している。ネットワークエンドノードＮＥＮ１は、タイムスロットＴＳ２のデータを遠端ネットワークエンドノードＮＥＮ２にデータ伝送接続ＤＣＴ１を介して伝送する。
【００２７】
サブセットＲＥＱ２の伝送は、制御プレーンを介して行なうことができる。別の方法では、サブセットＲＥＱ２は、ネットワークエンドノードＮＥＮ１とＮＥＮ２の間で交換されたデータユニット内のオーバーヘッド情報として伝送することができる。
【００２８】
タイムスロットＴＳ２のデータ、および要求データＲＥＱ２の対応するサブセットＲＥＱ２は、遠端ネットワークエンドノードＮＥＮ２によって受信される。
【００２９】
遠端ネットワークエンドノードＮＥＮ２は、出力タイムスロットＴＳ’を搬送する出力フレーム構造ＴＤＭ信号ＴＤＭＵ’を第２のユーザネットワークインターフェイスＵＮＩ２を介して遠隔クライアントＣ２に送信する。図２に示す例では、出力信号ＴＤＭＵ’は、３つのタイムスロットＴＳ１’、ＴＳ２’、ＴＳ３’を含んでいる。
【００３０】
遠端ネットワークエンドノードＮＥＮ２がデータ伝送接続ＤＴＣ１を介して受信するデータは、出力タイムスロットＴＳ’の上に遠端ネットワークエンドノードＮＥＮ２によってマッピングされる。この時、データ伝送接続ＤＴＣ１が初めて確立されると、ネットワークエンドノードＮＥＮ２は、データ伝送接続ＤＴＣ１を介して受信される要求データのサブセットのステータスインジケータをチェックすることによって、出力タイムスロットＴＳ’上で受信およびマッピングされるデータ量に対するマッピングを判断する。このチェックによって、ネットワークエンドノードＮＥＮ２は、そのデータがデータ伝送接続ＤＴＣ１を介して受信される入力タイムスロットＴＳの数を判断することが可能であり、したがって、受信データを遠隔クライアントＣ２に伝送するのに必要な出力タイムスロットＴＳ’の数を判断することも可能である。１つの入力タイムスロットＴＳのデータ容量は、出力タイムスロットＴＳ’のデータ容量と等しい。
【００３１】
例えば受信データを上にマッピングするために利用可能である出力タイムスロットＴＳ’の数が不十分であることにより、受信データのマッピングが可能でない場合、ネットワークエンドノードＮＥＮ２は、拒否メッセージをネットワークエンドノードＮＥＮ１に送信し、その後、クライアントＣ１に伝送される。これによって、クライアントＣ１は、特定の伝送容量に対する要求が、遠端ネットワークエンドノードＮＥＮ２で起きている問題によりネットワークによって満たすことができなかったことが報告される。
【００３２】
ネットワークエンドノードＮＥＮ２は、クライアントＣ２に、表示データＩＮＤのセットを伝送し、このデータは、少なくとも１つの出力タイムスロットＴＳ１’に対して、対応するサブセットＩＮＤ１を含んでいる。指示データセットＩＮＤは、各出力タイムスロットＴＳ１’、ＴＳ２’、ＴＳ３’に対して、対応するサブセットＩＮＤ１、ＩＮＤ２、ＩＮＤ３を含んでいることが好ましい。サブセットＩＮＤ１は、既存のデータ伝送接続ＤＴＣ１を識別する識別子ＩＤ、および対応するタイムスロットＴＳ１’のステータスを示すステータスインジケータＳＩを含んでいる。
【００３３】
ネットワークエンドノードＮＥＮ２は、入力タイムスロットＴＳに対応する受信した要求データＲＥＱのサブセットを、出力タイムスロットＴＳ１’に対応する表示データＩＮＤのサブセット上にマッピングする。
【００３４】
所与の例によると、所定のマッピングは、出力タイムスロットＴＳ１’の上へのデータ伝送接続ＤＴＣ１を介して受信した入力タイムスロットＴＳ２のデータのマッピングを規定する。受信した要求データサブセットＲＥＱ２は、その上に入力タイムスロットＴＳ２のデータがマッピングされる、出力タイムスロットＴＳ１’に対応する表示データセットＩＮＤ１上にマッピングされる。これによって、出力タイムスロットＴＳ１’に対応する入力タイムスロットＴＳ２に対するクライアントＣ１による要求は、遠隔クライアントＣ２に信号として送られる。表示データセットＩＮＤ１はしたがって、要求データサブセットＲＥＱ２から複製したＳＩの値である、値ＶのＳＩを運んでいる。
【００３５】
ネットワークエンドノードＮＥＮ２は、クライアントＣ２から、少なくとも１つの出力タイムスロットＴＳ１’に対して、対応するサブセットＲＥＳ１を含む、応答データＲＥＳのセットを受信する。応答データセットＲＥＳは、各出力タイムスロットＴＳ１’、ＴＳ２’、ＴＳ３’に対して、応答データＲＥＳ１、ＲＥＳ２、ＲＥＳ３のサブセットを含んでいることが好ましい。応答データサブセットは、既存のデータ伝送接続ＤＴＣ１を識別するためのＩＤ、および応答インジケータＲＩを含んでいる。ＲＩは、対応するタイムスロットＴＳ１’に対して要求されたステータスに対するクライアントＣ２による応答を示している。所与の例では、クライアントＣ２は、データ伝送接続ＤＣＴ１に沿って出力タイムスロットＴＳ１’を介して有効データを受信する応答を与える。この応答は、ＩＤに対する値ＤＣＴ１およびＲＩに対する値Ｘを運ぶ応答データＲＥＳ１のサブセットによって与えられる。
【００３６】
ネットワークエンドノードＮＥＮ２は、クライアントＣ２による応答をクライアントＣ１に信号として送る目的で、受信した応答データサブセットＲＥＱ２をネットワークエンドノードＮＥＮ１に伝送する。
【００３７】
ネットワークエンドノードＮＥＮ１は、ネットワークエンドノードＮＥＮ２から、伝送した応答データサブセットＲＥＱ２を受信する。
【００３８】
ネットワークエンドノードＮＥＮ１は、クライアントＣ１に、少なくとも１つの入力タイムスロットＴＳ２に対して、対応するサブセットＣＯＮ２を含む、確認データＣＯＮのセットを伝送する。別の方法では、確認データＣＯＮのセットは、各入力タイムスロットＴＳ１、ＴＳ２、ＴＳ３、ＴＳ４に対して、データＣＯＮ１、ＣＯＮ２、ＣＯＮ３、ＣＯＮ４のサブセットを含んでいる。確認データのサブセットは、既存のデータ伝送接続を識別するためのＩＤ、およびクライアントＣ１への遠隔クライアントＣ２による応答を示すためのＲＩを含んでいる。ネットワークエンドノードＮＥＮ１は、入力タイムスロットＴＳ２に対応する、確認データＣＯＮ２のサブセット上に受信した応答データＲＥＳ２のサブセットをマッピングする。したがって、サブセットＣＯＮ２は、応答ＲＥＳ１が確認データＣＯＮ２のサブセット上で複製されていることにより、応答インジケータＸを運んでいる。
【００３９】
確認データサブセットＣＯＮ２上に応答データサブセットＲＥＳ１をマッピングし、確認データＣＯＮ２をクライアントＣ１に伝送することによって、クライアントＣ１は、対応するタイムスロットＴＳ２に対するクライアントＣ１によるステータス要求に対する遠隔クライアントＣ２による応答に関して報告を受ける。
【００４０】
図３は、データ伝送接続の容量を増加させる異なるステップを示している。図２に示されるように、データ伝送接続ＤＴＣ１を介した現在のデータ伝送が想定されている。クライアントＣ１は、タイムスロットＴＳ３をデータ伝送接続ＤＴＣ１に追加することを望んでいる。
【００４１】
第１のステップＳ１では、クライアントＣ１は、加えられるべきタイムスロットＴＳ３に対応する、要求データサブセットＲＥＱ３のＩＤを変更する。ＩＤは、あらゆるデータ伝送接続に対するタイムスロットＴＳ３の関連性がないことを示す、値０から、データ伝送接続ＤＴＣ１に対するタイムスロットＴＳ３の関連性を示す、値ＤＣＴ１に変更される。
【００４２】
ＩＤだけの変更はまだ、データ伝送接続ＤＣＴ１の容量を増加させるための、ネットワークに対するトリガではない。クライアントＣ１はさらに、ＳＩを値０から、識別したデータ伝送接続ＤＣＴ１にタイムスロットＴＳ３を加える要求を示す、値ＲＡ（要求追加）まで変更する。要求データは、クライアントＣ１によってネットワークエンドノードＮＥＮ１に伝送され、ここでＳＩに対する値ＲＡは、ステップＳ２として、伝送容量の調整をトリガする。伝送容量は、データ伝送接続に関連しており、これに対してＳＩが有効データまたは追加の要求のいずれかを示す、これらのタイムスロットＴＳ２、ＴＳ３のデータを伝送するのに必要な容量によって、ネットワークエンドノードＮＥＮ１によって調整される。ネットワークエンドノードＮＥＮ１は、調整した伝送容量で、ネットワークエンドノードＮＥＮ１とＮＥＮ２の間のデータ伝送に同意するように、遠端ネットワークエンドノードＮＥＮ２、場合によってはさらに別のネットワークノードとメッセージを交換することにより調整を行なう。
【００４３】
伝送容量が調整されると、サブセットＲＥＱ３は、ネットワークエンドノードＮＥＮ１によって遠端ネットワークエンドノードＮＥＮ２に伝送され、ここで受信される。受信した要求データセットＲＥＱ３のＳＩが、タイムスロットＴＳ３をデータ伝送接続ＤＴＣ１に加える要求を示しているので、ネットワークエンドノードＮＥＮ２は、出力タイムスロットＴＳ１’、ＴＳ２’上にデータ伝送接続ＤＴＣ１を介して受信されるデータをマッピングするための新規マッピングを判断する。この例では、ネットワークエンドノードは、前に既に判断し、図２に示したように、出力タイムスロットＴＳ１’の上に入力タイムスロットＴＳ２の受信データをマッピングし、出力タイムスロットＴＳ２’の上に入力タイムスロットＴＳ３の受信データをマッピングすることを選択する。したがって、出力タイムスロットＴＳ２’は、データ伝送接続ＤＴＣ１に加えられる。さらに、ネットワークエンドノードＮＥＮ２は、データ伝送接続ＤＴＣ１に加えられるタイムスロットＴＳ２’に対応する、表示データセットＩＮＤ２の上に受信した要求データセットＲＥＱ３をマッピングする。マッピングの判断は、ステップＳ３として示されている。ステップＳ４では、表示データＩＮＤはクライアントＣ２に伝送される。ここで、表示データＩＮＤのサブセットＩＮＤ２は次に、値ＤＣＴ１のＩＤ、およびデータ伝送接続ＤＣＴ１にタイムスロットＴＳ２’を加える要求を示す、値ＲＡのＳＩを含んでいる。
【００４４】
ステップＳ５として、クライアントＣ２は、加えるべきタイムスロットＴＳ２に対応する応答データＲＥＳ２のサブセット内で、ＩＤを値０から値ＤＣＴ１に、応答インジケータＲＩを値０から値ＡＡ（追加許可）に変更する。値ＡＡは、クライアントＣ２がデータ伝送接続ＤＣＴ１へのタイムスロットＴＳ２’の追加を許可することを示している。ステップＳ６として、応答データセットＲＥＳ２は、クライアントＣ２による応答をクライアントＣ１に信号として送るために、ネットワークエンドノードＮＥＮ２に伝送され、その上から、ネットワークエンドノードＮＥＮ１に伝送される。
【００４５】
ステップＳ７として、ネットワークエンドノードＮＥＮ１は、出力タイムスロットＴＳ２’に対応する受信サブセットＲＥＳ２を、追加すべき入力タイムスロットＴＳ３に対応する確認データＣＯＮのサブセットＣＯＮ３の上にマッピングする。ネットワークエンドノードＮＥＮ１はその後、クライアントＣ２による応答をクライアントＣ１に信号として送るために、クライアントＣ１に確認データサブセットＣＯＮ３を伝送する。これは、ステップＳ８で行なわれる。
【００４６】
クライアントＣ１は、確認データサブセットＣＯＮ３を受信する。クライアントＣ１は次に、値ＡＡを有するサブセットＣＯＮ３のＲＩから、クライアントＣ２がデータ伝送接続ＤＴＣ１にタイムスロットＴＳ３を加える要求を許可したことを導き出すことができる。したがって、クライアントＣ１は、追加したタイムスロットＴＳ３内で有効データを伝送することを開始することができる。
【００４７】
さらに、クライアントＣ１は、その有効データが追加したタイムスロットＴＳ３内で伝送されていることを信号として送る。したがって、ステップＳ９として、クライアントＣ１は、要求データサブセットＲＥＱ３内のＳＩを、値ＲＡから有効データが対応するタイムスロットＴＳ３を介して伝送されることを示す値Ｖ（有効データ）に変更する。クライアントＣ１は、要求データサブセットＲＥＱ３をネットワークエンドノードＮＥＮ１に伝送する。ネットワークエンドノードＮＥＮ１は、要求データサブセットＲＥＱ３のＳＩに対する値Ｖから、有効データが対応する入力タイムスロットＴＳ３内で伝送されることを導き出す。したがって、ネットワークエンドノードＮＥＮ１は、入力タイムスロットＴＳ３のデータをネットワークエンドノードＮＥＮ２に伝送する。要求データサブセットＲＥＱ３はまた、対応するタイムスロットＴＳ３の要求されたステータスをクライアントＣ２に信号として送るために、ネットワークエンドノードＮＥＮ２に伝送される。これは、ステップＳ１０として行なわれる。
【００４８】
タイムスロットＴＳ２のデータはまた、ネットワークエンドノードＮＥＮ２に伝送され、そこで、図２に示すように、出力タイムスロットＴＳ１’の上にマッピングされる。
【００４９】
ネットワークエンドノードＮＥＮ２は、データおよび要求データサブセットＲＥＱ３を受信する。ＳＩに対する値Ｖが有効データの伝送を示しているので、ネットワークエンドノードＮＥＮ２は、前に規定したように、入力タイムスロットＴＳ３から生じるデータを出力タイムスロットＴＳ２’の上にマッピングする。入力タイムスロットＴＳ２から生じるデータは、図２に示すように、出力タイムスロットＴＳ１’の上にマッピングされる。さらに、要求データサブセットＲＥＱ３は、出力タイムスロットＴＳ２’に対応する、表示データサブセットＩＮＤ２の上にネットワークエンドノードＮＥＮ２によってマッピングされる。これは、ステップＳ１１として行なわれる。
【００５０】
ステップＳ１２として、表示データサブセットＩＮＤ２は、対応するタイムスロットＴＳ２’の要求されたステータスをクライアントに信号として送るために、クライアントＣ２に伝送される。クライアントＣ２は次に、表示データサブセットＩＮＤ２のＳＩに対する値Ｖから、タイムスロットＴＳ２’を介して有効データを受信すべきであることを導き出すことができる。
【００５１】
クライアントＣ２がタイムスロットＴＳ２’内の有効データの受信を検出すると、クライアントＣ２は、応答データサブセットＲＥＳ２のＲＩを値ＡＡから、対応する出力タイムスロットＴＳ２’を介した有効データの受信を示す値Ｘに変更する。この変更は、ステップＳ１３として行なわれる。ステップ１４として、応答データサブセットＲＥＳ２は、タイムスロットＴＳ２’内のデータ伝送に関するクライアントＣ２の応答をクライアントＣ１に信号として送るために、ネットワークエンドノードＮＥＮ２に伝送され、その上から、ネットワークエンドノードＮＥＮ１に伝送される。
【００５２】
ネットワークエンドノードＮＥＮ１は、応答データサブセットＲＥＳ２を受信し、これを、追加したタイムスロットＴＳ３に対応する確認データサブセットＣＯＮ３の上にマッピングする。これは、ステップＳ１５として行なわれる。
【００５３】
ステップＳ１６として、確認データサブセットＣＯＮ３は、ネットワークエンドノードＮＥＮ１によってクライアントＣ１に伝送される。クライアントＣ１は、確認データサブセットＣＯＮ３のＲＩに対する値Ｘから、クライアントＣ２が入力タイムスロットＴＳ３から生じる有効データの受信を確認していることを導き出すことができる。
【００５４】
図４は、データ伝送接続の容量を減少させるプロトコルの異なるステップを示している。タイムスロットＴＳ３をデータ伝送接続ＤＣＴ１に加えた後に、クライアントＣ１は次に、タイムスロットＴＳ２をデータ伝送接続ＤＴＣ１から取り除くことを望んでいる。
【００５５】
クライアントＣ１は、要求データサブセットＲＥＱ２のＳＩを値Ｖから、識別したデータ伝送接続ＤＣＴ１から対応するタイムスロットＴＳ２を取り除く要求を示す値ＲＲ（除去要求）に変更する。要求データサブセットＲＥＱ２は、クライアントＣ１によってネットワークエンドノードＮＥＮ１に伝送され、ここでＳＩに対する値ＲＲは、ステップＳ２’として伝送容量の調整をトリガする。伝送容量は、データ伝送接続に関連し、これに対しＳＩが有効データまたは追加の要求のいずれかを示す、これらのタイムスロットのデータを伝送するのに必要な容量にしたがって、ネットワークエンドノードＮＥＮ１によって調整される。この例では、タイムスロットＴＳ３は、データ伝送接続ＤＴＣ１内にあるままであるが、タイムスロットＴＳ２は、データ伝送接続ＤＴＣ１から取り除かれるべきものである。したがって、ネットワークエンドノードＮＥＮ１は、タイムスロットＴＳ３のデータを伝送するためにデータ伝送容量を調整する。ネットワークエンドノードは、調整した伝送容量でネットワークエンドノードＮＥＮ１とＮＥＮ２の間のデータ伝送に同意するように、遠端ネットワークエンドノードＮＥＮ２、場合によってはさらに別のネットワークノードとメッセージを交換することによって調整を行なう。
【００５６】
伝送容量が調整されると、要求データサブセットＲＥＱ２は、ネットワークエンドノードＮＥＮ１によって遠端ネットワークエンドノードＮＥＮ２に伝送され、ここで受信される。受信した要求データセットＲＥＱ２のＳＩが、タイムスロットＴＳ２をデータ伝送接続ＤＴＣ１から取り除く要求を示しているので、ネットワークエンドノードＮＥＮ２は、出力タイムスロットＴＳ２’の上にデータ伝送接続ＤＴＣ１を介して受信されるデータをマッピングするための新規マッピングを判断する。この例では、ネットワークエンドノードは、既に前に規定し、図３に示すように、出力タイムスロットＴＳ１’の上に入力タイムスロットＴＳ３のデータの受信データをマッピングすることを選択する。
【００５７】
ステップＳ３’では、ネットワークエンドノードＮＥＮ２は、データ伝送接続ＤＴＣ１から取り除かれるべきタイムスロットＴＳ１’に対応する、表示データセットＩＮＤ１の上に受信した要求データセットＲＥＱ２をマッピングする。ステップＳ４’では、表示データサブセットＩＮＤ１はクライアントＣ２に伝送される。ここで、表示データのサブセットＩＮＤ１は次に、値ＤＣＴ１のＩＤ、およびデータ伝送接続ＤＣＴ１からタイムスロットＴＳ１’を取り除く要求を示す、値ＲＲのＳＩを含んでいる。
【００５８】
クライアントＣ２がデータ伝送接続ＤＴＣ１からタイムスロットＴＳ１’を取り除くことを許可する場合、ステップＳ５’として行なわれるように、タイムスロットＴＳ１’に対応する応答データサブセットＲＥＳ１のＲＩを値ＡＲ（取り除き許可）に設定する。値ＲＡは、クライアントＣ２がデータ伝送接続ＤＣＴ１からタイムスロットＴＳ１’を取り除くことを許可することを示す。
【００５９】
ステップＳ６’として、応答データセットＲＥＳ１は、クライアントＣ２による応答をクライアントＣ１に信号として送るために、ネットワークエンドノードＮＥＮ２に伝送され、その上から、ネットワークエンドノードＮＥＮ１に伝送される。
【００６０】
ステップＳ７’として、ネットワークエンドノードＮＥＮ１は、取り除かれるべき入力タイムスロットＴＳ２に対応する確認データのサブセットＣＯＮ２の上に、出力タイムスロットＴＳ１’に対応する受信したサブセットＲＥＳ１をマッピングする。ネットワークエンドノードＮＥＮ１はその後、クライアントＣ２による応答をクライアントＣ１に信号として送るために、クライアントＣ１に確認データサブセットＣＯＮ２を伝送する。これは、ステップＳ８’として行なわれる。
【００６１】
クライアントＣ１は、確認データサブセットＣＯＮ２を受信する。クライアントＣ１は次に、値ＲＡを有するサブセットＣＯＮ２のＲＩから、クライアントＣ２がデータ伝送接続ＤＴＣ１からタイムスロットＴＳ２を取り除く要求を許可することを導き出すことができる。
【００６２】
さらに、クライアントＣ１は、データがタイムスロットＴＳ２内で伝送されないという信号を送る。したがって、ステップＳ９’として、クライアントＣ１は、要求データサブセットＲＥＱ２内のＳＩを値ＲＲから、データが対応するタイムスロットＴＳ２を介して伝送されないことを示す値０に変更する。
【００６３】
クライアントＣ１は、要求データサブセットＲＥＱ２をネットワークエンドノードＮＥＮ１に伝送する。ネットワークエンドノードＮＥＮ１は、要求データサブセットＲＥＱ２のＳＩに対する値０から、データが対応する入力タイムスロットＴＳ２内で伝送されないことを導き出す。ネットワークエンドノードＮＥＮ１は、対応するタイムスロットＴＳ２の要求されたステータスをクライアントＣ２に信号として送るために、要求データサブセットＲＥＱ２をネットワークエンドノードＮＥＮ２に伝送する。これは、ステップＳ１０’として行なわれる。
【００６４】
要求データサブセットＲＥＱ２は、出力タイムスロットＴＳ１’に対応する表示データサブセットＩＮＤ１の上にネットワークエンドノードＮＥＮ２によってマッピングされる。これは、ステップＳ１１’として行なわれる。
【００６５】
ステップＳ１２’として、表示データサブセットＩＮＤ１は、対応するタイムスロットＴＳ１’の要求されたステータスをクライアントに信号として送るために、クライアントＣ２に伝送される。クライアントＣ２は次に、表示データサブセットＩＮＤ２のＳＩに対する値０から、タイムスロットＴＳ１’がデータを搬送すべきではないことを導き出すことができる。
【００６６】
クライアントＣ２は、応答データサブセットＲＥＳ１のＲＩを値ＡＲから、出力タイムスロットＴＳ１’がデータを搬送していないことを示す値０に変更する。これは、ステップＳ１３’として行なわれる。ステップＳ１４’として、応答データサブセットＲＥＳ１は、タイムスロットＴＳ１’内のデータ伝送に関するクライアントＣ２の応答をクライアントＣ１に信号として送るために、ネットワークエンドノードＮＥＮ２に伝送され、その上から、ネットワークエンドノードＮＥＮ１に伝送される。
【００６７】
ネットワークエンドノードＮＥＮ１は、応答データサブセットＲＥＳ１を受信し、これをタイムスロットＴＳ２に対応する確認データサブセットＣＯＮ２の上にマッピングする。これは、ステップＳ１５’として行なわれる。
【００６８】
ステップＳ１６’として、確認データサブセットＣＯＮ２は、ネットワークエンドノードＮＥＮ１によってクライアントＣ１に伝送される。クライアントＣ１は、確認データサブセットＣＯＮ２のＲＩに対する値０から、クライアントＣ２はデータが入力タイムスロットＴＳ２から受信されないことを確認していることを導き出すことができる。
【００６９】
要求データサブセットＲＥＱ２および応答データサブセットＲＥＳ１内のＩＤを値ＤＴＣ１から値０に設定する別のステップは、クライアントＣ１およびクライアントＣ２によってそれぞれ行なわれる。サブセットのＩＤに対する値０は、クライアントが任意のデータ伝送接続への対応するタイムスロットの関連性がないことを想定していることを示している。サブセットのＩＤが値０を運び、そのサブセットのＳＩまたはＲＩが値０を運ぶと、これは、対応するタイムスロットは自由に設定され、他のデータ伝送接続によって使用することができることを示している。
【００７０】
図５は、容量の一部を保守モードに設定するプロトコルの異なるステップを示している。これは、クライアントＣ１が、特定の入力タイムスロットを介して有効データの代わりに保守データを伝送することを望む場合に望ましい。示した例では、クライアントＣ１は、出力タイムスロットＴＳ２を保守モードに設定することを望んでいる。
【００７１】
図２に示し、上に記載したデータ伝送が想定されている。
【００７２】
第１のステップＳ１”では、クライアントＣ１は、要求データサブセットＲＥＱ２のＳＩを値Ｖから、識別されたデータ伝送接続ＤＣＴ１を介してタイムスロットＴＳ２内で保守データを伝送する要求を示す値ＲＭ（保守要求）に変更する。要求データサブセットＲＥＱ２は、クライアントＣ１によってネットワークエンドノードＮＥＮ１に伝送され、ここで、ＳＩに対する値ＲＭは、タイムスロットＴＳ２を介した保守データの伝送を保証するように、ネットワークエンドノードＮＥＮ１をトリガする。ネットワークエンドノードＮＥＮ１は、保守データをどのように伝送するかに関するメッセージ交換を介して、遠端ネットワークエンドノードＮＥＮ２、場合によってはさらに別のネットワークノードと交渉することによって、これを保証する。ネットワークエンドノードＮＥＮ１からネットワークエンドノードＮＥＮ２までの保守データの伝送は、ネットワークエンドノードＮＥＮ２とＮＥＮ１の間の有効データの伝送と同じデータ伝送ユニット内で行なうことができる。代替解決法として、保守データの伝送は、ネットワークエンドノードＮＥＮ１からネットワークエンドノードＮＥＮ２に伝送される別のデータ伝送ユニット内で行なうことができる。
【００７３】
ネットワークエンドノードＮＥＮ１とＮＥＮ２の間の保守データの伝送が判断され、したがって保証されると、サブセットＲＥＱ２は、ネットワークエンドノードＮＥＮ１によって遠端ネットワークエンドノードＮＥＮ２に伝送され、ここで受信される。これは、ステップＳ２”として行なわれる。
【００７４】
受信した要求データセットＲＥＱ２のＳＩは、タイムスロットＴＳ２を保守モードに設定する要求を示している。ネットワークエンドノードＮＥＮ２は、タイムスロットＴＳ１’に対応するその表示データセットＩＮＤ１の上に受信した要求データセットＲＥＱ２をマッピングする。タイムスロットＴＳ１’上へのタイムスロットＴＳ２のデータのマッピングは、上に記載し、図２に示したように前に判断された。ステップＳ４”では、表示データサブセットＩＮＤ１はクライアントＣ２に伝送される。ここで、表示データのサブセットＩＮＤ１は次に、タイムスロットＴＳ１’を介して保守データを伝送する要求を示す値ＲＭのＳＩを含んでいる。
【００７５】
ステップＳ５”として、クライアントＣ２は、保守データを転送すべきである、タイムスロットＴＳ１’に対応する応答データのサブセットＲＥＳ１内で、応答インジケータＲＩを値Ｘから値ＡＭ（保守許可）に変更する。値ＡＭは、クライアントＣ２がタイムスロットＴＳ１’を介して保守データを受信することを許可することを示している。ステップＳ６”として、応答データセットＲＥＳ１は、クライアントＣ２による応答をクライアントＣ１に信号として送るために、ネットワークエンドノードＮＥＮ２に伝送され、その上から、ネットワークエンドノードＮＥＮ１に伝送される。
【００７６】
ステップＳ７”として、ネットワークエンドノードＮＥＮ１は、保守モードに設定されるべきである入力タイムスロットＴＳ２に対応する確認データのサブセットＣＯＮ２の上に、出力タイムスロットＴＳ１’に対応する受信したサブセットＲＥＳ１をマッピングする。ネットワークエンドノードＮＥＮ１はその後、クライアントＣ２による応答をクライアントＣ１に信号として送るために、確認データサブセットＣＯＮ２をクライアントＣ１に伝送する。これは、ステップＳ８”内で行なわれる。
【００７７】
クライアントＣ１は、確認データサブセットＣＯＮ２を受信する。クライアントＣ１は次に、値ＡＭを有するサブセットＣＯＮ２のＲＩから、クライアントＣ２がタイムスロットＴＳ２を保守モードに設定する要求を許可することを導き出すことができる。したがって、クライアントＣ１は、タイムスロットＴＳ２内で保守データを伝送することを開始することができる。
【００７８】
さらに、クライアントＣ１は、保守データがタイムスロットＴＳ２内で伝送されることを信号として送る。したがって、ステップＳ９”として、クライアントＣ１は、要求データサブセットＲＥＱ２内のＳＩが値ＲＭから、有効保守データが対応するタイムスロットＴＳ２を介して伝送されることを示す値ＶＭ（有効保守データ）に変更する。
【００７９】
クライアントＣ１は、要求データサブセットＲＥＱ２をネットワークエンドノードＮＥＮ１に伝送する。ネットワークエンドノードＮＥＮ１は、要求データサブセットＲＥＱ２のＳＩに対する値ＶＭから、有効保守データが対応する入力タイムスロットＴＳ２内で伝送されることを導き出す。したがってネットワークエンドノードＮＥＮ１は、入力タイムスロットＴＳ２の保守データをネットワークエンドノードＮＥＮ２に伝送する。要求データサブセットＲＥＱ２はまた、対応するタイムスロットＴＳ２の要求されたステータスをクライアントＣ２に信号として送るために、ネットワークエンドノードＮＥＮ２に伝送される。これは、ステップＳ１０”として行なわれる。
【００８０】
ネットワークエンドノードＮＥＮ２は、保守データおよび要求データサブセットＲＥＱ２を受信する。ＳＩに対する値ＶＭが有効保守データの伝送を示しているので、ネットワークエンドノードＮＥＮ２は、前に規定したように、出力タイムスロットＴＳ１’の上に入力タイムスロットＴＳ２から生じる保守データをマッピングする。さらに、要求データサブセットＲＥＱ２は、出力タイムスロットＴＳ１’に対応する表示データサブセットＩＮＤ１の上に、ネットワークエンドノードＮＥＮ２によってマッピングされる。これは、ステップＳ１１”として行なわれる。
【００８１】
ステップＳ１２”として、表示データサブセットＩＮＤ１は、対応するタイムスロットＴＳ１’の要求されたステータスをクライアントＣ２に信号として送るために、クライアントＣ２に伝送される。クライアントＣ２は次に、表示データサブセットＩＮＤ１のＳＩに対する値ＶＭから、タイムスロットＴＳ１’を介して有効保守データを受信すべきであることを導き出すことができる。
【００８２】
クライアントＣ２がタイムスロットＴＳ１’内の有効保守データの受信を検出すると、クライアントＣ２は、応答データサブセットＲＥＳ２のＲＩを値ＡＭから、対応する出力タイムスロットＴＳ１’を介した有効保守データの受信を示す値ＸＭに変更する。この変更は、ステップＳ１３”として行なわれる。ステップ１４”として、応答データサブセットＲＥＳ１は、タイムスロットＴＳ１’内のデータ伝送に関するクライアントＣ２の応答をクライアントＣ１に信号として送るために、ネットワークエンドノードＮＥＮ２に伝送され、その上から、ネットワークエンドノードＮＥＮ１に伝送される。
【００８３】
ネットワークエンドノードＮＥＮ１は、応答データサブセットＲＥＳ１を受信し、これを、タイムスロットＴＳ２に対応するその確認データサブセットＣＯＮ２の上にマッピングする。これは、ステップＳ１５”として行なわれる。
【００８４】
ステップＳ１６”として、確認データサブセットＣＯＮ２は、ネットワークエンドノードＮＥＮ１によってクライアントＣ１に伝送される。クライアントＣ１は、確認データサブセットＣＯＮ２のＲＩに対する値ＸＭから、クライアントＣ２が入力タイムスロットＴＳ２から生じる有効保守データの受信を確認していることを導き出すことができる。
【００８５】
記載した方法の２つのステップの間のタイムアウトに対する特定の最大期間がない、すなわち、クライアント間のネットワークインフラは、要求したサブセットの転送を行なうために数ミリ秒から数分を必要とする可能性がある。ステップ間のタイムアウトは、ネットワークによって示される実際のネットワークインフラのトポロジーにより、システムワイドパラメータとしてユーザネットワークインターフェイスＵＮＩで設定される。
【００８６】
代替解決法によると、要求データセットＲＥＱ、表示データセットＩＮＤ、応答データセットＲＥＳ、および確認データセットＣＯＮは、各入力タイムスロットＴＳに対して、対応するサブセットを含んでいる。単一のサブセットのみを伝送する代わりに、全データセットがユーザネットワークインターフェイスＵＮＩ１、ＵＮＩ２で交換される。クライアントＣ１が全要求セットＲＥＱをネットワークエンドノードＮＥＮ１に伝送すると、これは、ネットワークエンドノードＮＥＮ１が全ての入力タイムスロットＴＳに対してクライアントによって要求される全てのステータスに関するデータのセットによって報告を受けるという利点を有する。これは、クライアントＣ１がメモリユニット内に記憶された要求データセットとしてこれによって要求されたステータスを単に記憶し、必要に応じてタイムスロットのステータスを変更し、全要求データセットＲＥＱの伝送をこのような変更後にトリガすることができるので別の利点がある。したがって、クライアントＣ１は、メモリ内の要求データセットＲＥＱを単にチェックすることによって、異なるタイムスロットの要求された異なるステータスを常に調べることができる。さらに、ネットワークエンドノードＮＥＮ１が、入力タイムスロットＴＳに対してクライアントＣ１によって現在要求されているステータスをチェックすることを望む場合に、ネットワークエンドノードＮＥＮ１は、クライアントにポーリングメッセージを送信することによって、クライアントＣ１からこの情報を簡単にポーリングすることができ、その際、クライアントＣ１は要求データセットＲＥＱをネットワークエンドノードＮＥＮ１に伝送する。
【００８７】
遠端ネットワークエンドノードＮＥＮ２が全表示セットＩＮＤを遠隔クライアントに伝送すると、これは、遠隔クライアントＣ２が出力タイムスロットＴＳ’に対して他のクライアントによって要求される全てのステータスに関する報告を受けるという利点がある。この目的で、遠端ネットワークエンドノードＮＥＮ２は、異なるクライアントから受信した表示データサブセットのデータを記憶し、したがって、全表示セットＩＮＤを記憶する。遠隔クライアントＣ２が出力タイムスロットＴＳ’に対して他のクライアントによって現在要求されているステータスをチェックすることを望む場合、遠隔クライアントＣ２は、遠端ネットワークエンドノードＮＥＮ２にポーリングメッセージを送信することによって、遠端ネットワークエンドノードＮＥＮ２からこの情報を簡単にポーリングすることができ、その際、遠端ネットワークエンドノードＮＥＮ２は表示データセットＩＮＤを遠隔クライアントＣ２に伝送する。それぞれの利点は、応答データＲＥＳの全セット、または確認データセットＣＯＮの全セットの伝送のために与えられる。
【００８８】
別の代替解決法によると、ネットワークエンドノードＮＥＮ１から別のネットワークエンドノードＮＥＮ２までの入力タイムスロットのデータの伝送は、ネットワークエンドノードＮＥＮ１からネットワークエンドノードＮＥＮ２に送信される仮想コンテナ上へのデータのマッピングにより行なわれる。データはその後、別のネットワークエンドノードＮＥＮ２によって仮想コンテナから抽出される。ネットワークエンドノードＮＥＮ１による必要容量の判断は、データ伝送接続ＤＴＣ１の容量の調整につながり、それによって、ネットワークエンドノードＮＥＮ１は、ネットワークＮから識別されたデータ伝送接続ＤＣＴに対する追加の仮想コンテナを要求する、またはネットワークエンドノードＮＥＮ１は、ネットワークＮから、識別されたデータ伝送接続ＤＴＣ１から仮想コンテナを取り除くように要求する。仮想コンテナは、容量を与えるために、仮想結合により結合させることができる。さらに、ネットワークエンドノードＮＥＮ１は、データ伝送接続ＤＴＣ１の容量のヒットレス変化に同意するために、ＬＣＡＳプロトコルを介してネットワークエンドノードＮＥＮ２と通信する。
【００８９】
従来技術と比較したこの解決法の利点は、クライアントＣ１自体は、仮想コンテナの数を変更するステップ、およびデータ伝送接続ＤＣＴ１の容量のヒットレス変更に同意するために、ＬＣＡＳプロトコルを介して信号を送るステップを行なう必要がないということである。これらのステップは、ネットワークＮ内で行なわれる。クライアントは、要求データセットＲＥＱを提供しなければならないだけである。この要求データセットＲＥＱ内のデータの変更により、クライアントは次に、一度に２つのことが可能である：データ伝送接続ＤＣＴ１に対する容量の変更すること、およびこの要求データセットＲＥＱと、別のデータセットＩＮＤ、ＲＥＳ、ＣＯＮを介して第２のクライアントＣ２で信号を送ること。したがって、提案された方法により、伝送容量を変更する目的で、クライアントに対して信号を送る柔軟性のある方法を提供する。
【００９０】
別の代替解決法によると、ネットワークＮは光伝送ネットワークＯＴＮであり、ユーザネットワークインターフェイスは、標準ＩＴＵ−Ｔ  Ｇ．７０９／Ｙ．１３３１（２００３年３月）によって規定されたような光ネットワークへのインターフェイスである。
【００９１】
ネットワークエンドノードＮＥＮ１からネットワークエンドノードＮＥＮ２への入力ＴＤＭタイムスロットのデータの伝送は、ネットワークエンドノードＮＥＮ１からネットワークエンドノードＮＥＮ２に送信された光学データユニットＯＤＵ上にデータをマッピングすることにより行なわれる。データはその後、ネットワークエンドノードＮＥＮ２によって光学データユニットから抽出される。
【００９２】
光学データユニットは、標準ＩＴＵ−Ｔ  Ｇ．７０９／Ｙ．１３３１（２００３年３月）に記載されているように、統合データ伝送のために仮想結合により統合することができる。ネットワークエンドノードＮＥＮ１による必要容量の判断は、データ伝送接続ＤＴＣ１の容量の調整につながり、それによって、ネットワークエンドノードＮＥＮ１は、識別されたデータ伝送接続ＤＣＴに対する仮想結合を介して追加の光学データＯＤＵユニットを使用する、またはネットワークエンドノードＮＥＮ１は、識別されたデータ伝送接続ＤＣＴに対して光学データユニットＯＤＵの仮想結合グループの光学データユニットを取り除く。さらに、ネットワークエンドノードＮＥＮ１は、データ伝送接続ＤＣＴ１の容量のヒットレス変更に同意するために、標準ＩＴＵ−Ｔ  Ｇ．７０９／Ｙ．１３３１（２００３年３月）によって規定されたプロトコルを介して別のネットワークエンドノードＮＥＮ２と通信する。
【００９３】
光伝送ネットワークに関する別の代替解決法によると、光学データユニットは、改定案標準ＩＴＵ−Ｔ  Ｇ．７０９／Ｙ．１３３１に記載されるように、搬送されるサービスの帯域幅によって可変容量を有することができる。この場合、伝送コンテナは可撓性光学データユニットと呼ばれる。ネットワークエンドノードＮＥＮ１による必要容量の判断は、可撓性光学データユニットが上にマッピングされる多重ユニットの数の調整につながる。その結果、データ伝送接続ＤＣＴ１の容量を調整すべきであり、それによってネットワークエンドノードＮＥＮ１は、識別されたデータ伝送接続ＤＣＴ１上に増加した容量で可撓性光学データユニットをマッピングするために追加の多重ユニットを使用する、またはネットワークエンドノードＮＥＮ１は、識別されたデータ伝送接続ＤＣＴ１上に減少した容量で可撓性光学データユニットをマッピングするために多重ユニットを取り除く。さらに、ネットワークエンドノードＮＥＮ１は、データ伝送接続ＤＣＴ１の帯域幅のヒットレス変更に同意するために、適当なプロトコルを介してネットワークエンドノードＮＥＮ２と通信する。
【００９４】
上で行なった説明は、クライアントＣ１からクライアントＣ２につながる、記載したデータ伝送接続ＤＴＣ１の一方向に対して行なわれた。別の方法では、データ伝送接続は、２方向のデータ伝送を含むことができる。
【００９５】
図６に示すように、２つのクライアントＣ１とＣ２の間の１つのデータ伝送接続ＤＣＴ１は、２つの方向を含んでいる：上に記載したような第１の方向Ｄ１、および第２のクライアントＣ２から第１のクライアントＣ１につながる反対方向の第２の方向Ｄ２。２つのクライアントＣ１とＣ２の間のデータ伝送接続ＤＴＣ１の両方の方向Ｄ１、Ｄ２は、データ伝送識別子ＩＤの値、この場合、値ＤＴＣ１によって独自に識別される。
【００９６】
第２の方向Ｄ２に沿ったデータ伝送では、タイムスロットＴＳ”からなる第２の入力ＴＤＭ信号ＴＤＭＵ”は、クライアントＣ２によってネットワークエンドノードＮＥＮ２に送信され、タイムスロットＴＳ”’からなる第２の出力ＴＤＭ信号ＴＤＭＵ”’は、ネットワークエンドノードＮＥＮ１によってクライアントＣ１に送信される。
【００９７】
データ伝送接続の１つの方向Ｄ１で交換されたタイムスロットの数は、反対の方向Ｄ２で交換されたタイムスロットの数と同じである必要はない。データ伝送接続の容量は非対称である可能性がある。図６の例によると、クライアントＣ１からクライアントＣ２に伝送されるタイムスロットの数は、この例では、クライアントＣ２によって受信されうるタイムスロットの最大数は３つのタイムスロットであることを考慮して、ゼロから３の範囲である可能性がある。クライアントＣ２からクライアントＣ１に伝送されるタイムスロットの数は、この例では、クライアントＣ２によって伝送されうるタイムスロットの最大数が２つのタイムスロットであることを考慮して、ゼロから２のタイムスロットの範囲である可能性がある。
【００９８】
さらに、異なるユーザネットワークインターフェイスＵＮＩ１、ＵＮＩ２でデータの上記セットを使用する原理は、互いに異なる方向でのデータ伝送に使用されるタイムスロットの数に縛られることなく、クライアントＣ１からクライアントＣ２へのデータ伝送だけでなく、クライアントＣ２からクライアントＣ１へのデータ伝送にも使用されうる。一方向へのデータ伝送に使用されるタイムスロットの数は、もう一方向のタイムスロットの数と異なっていてもよい。
【００９９】
ユーザネットワークインターフェイスＵＮＩ１での第１の方向Ｄ１のタイムスロットＴＳと同様に、タイムスロットＴＳ”に対する各ユーザネットワークインターフェイスＵＮＩ２で、第２の方向Ｄ２に対して交換される２セットのデータがある。ユーザネットワークインターフェイスＵＮＩ２では、クライアントＣ２は、要求データＲＥＱ’のセットをネットワークエンドノードＮＥＮ２に送信し、確認データＣＯＮ’のセットをネットワークエンドノードＮＥＮ２から受信する。ユーザネットワークインターフェイスＵＮＩ１では、表示データＩＮＤ’のセットは、クライアントＣ１によってネットワークエンドノードＮＥＮ１から受信され、応答データＲＥＳ’のセットはクライアントＣ１によってネットワークエンドノードＮＥＮ１に送信される。データＲＥＱ’、ＩＮＤ’、ＲＥＳ’、ＣＯＮ’の上記セットは、第１の方向Ｄ１に対するデータＲＥＱ、ＩＮＤ、ＲＥＳ、ＣＯＮのセットに対して記載したように、互いに対する関係性を有する。
【０１００】
タイムスロットをデータ伝送接続ＤＴＣに追加し、タイムスロットをデータ伝送接続から取り除き、またはタイムスロットを保守モードに設定する提案した方法は、データ伝送接続のいずれかの方向Ｄ１、Ｄ２に対して別々に適用されうる。これは、信号を送る記載した方法によって保証される。容量の調整は、他の方向を介したデータ伝送の容量とは関係なく、一方向に対する単一のタイムスロットの粒度で行なわれうる。
【０１０１】
提案した方法は、同じデータ伝送接続の他の方向に沿ったデータ伝送とは関係なく、また第３のクライアントとのデータ交換のための別の第３のデータ伝送接続とも関係なく、極めて便利な方法で、所与の伝送接続の一方向の第２のクライアントへのデータ伝送の容量を第１のクライアントが調整するための強力かつ柔軟性のあるツールである。
【０１０２】
上記説明を考慮に入れると、第１のユーザネットワークインターフェイスＵＮＩ１で要求データセットＲＥＱおよび確認データセットＣＯＮを、第２のユーザネットワークインターフェイスＵＮＩ２で表示データセットＩＮＤおよび応答データセットＲＥＳを上記方法で使用することにより、従来技術と比較して明らかな利点が与えられることが分かる。
【０１０３】
第１の利点は、クライアントは、既にデータ伝送接続に含まれているタイムスロットに追加して伝送されるべきである、対応するタイムスロットの要求サブセットのステータスインジケータを単に変更することによって、データ伝送接続の容量の変更を要求することができることである。ネットワークエンドノードは受信した入力タイムスロットのステータス識別子をチェックし、データ伝送接続の容量を調整するためのトリガとして変更したステータス識別子を解釈するので、クライアントによるステータス識別子の変更は、ネットワークによる伝送容量の動的調整を自動的に行なう。
【０１０４】
さらに、クライアントによってネットワークエンドノードに送信される要求データサブセットは、その後に遠隔クライアントに伝送される対応する表示データサブセットの上に遠端ネットワークエンドノードによってマッピングされているので、要求データサブセットのステータスインジケータは、遠隔クライアントが、対応する入力タイムスロットのデータが上にマッピングされる対応する出力タイムスロットを介してデータを受信する準備をすべきであることを、クライアントから遠隔クライアントに信号として送るための解決法である。
【０１０５】
したがって、ネットワークによって調整されたデータ伝送接続の容量を有するために、またデータ伝送接続の容量の調整に関して遠隔クライアントと交渉するように信号を送信するために、クライアントはデータの１つのサブセットを変更する必要があるだけである方法が提供される。
【０１０６】
さらに、特定の出力タイムスロットに対する応答データサブセット内の特定の値にステータスインジケータを設定することによって、遠隔クライアントは、クライアントがステータスインジケータを変更した追加のタイムスロットを通して有効データを受信する準備ができているということを、クライアントに確認データサブセット上の応答データサブセットのマッピングを介して信号として送ることが可能である。
【０１０７】
従来技術と対照的に、同じ結果を得るために異なるプロトコルの異なるステップを行なう必要がもはやない。従来技術では、第２の仮想コンテナを介して追加の容量を要求するために第１のステップが必要であり、ＬＣＡＳプロトコルを介して２つのクライアント間で信号を送るために別のステップが必要である。
【０１０８】
信号を送る提案した方法は、クライアントに同時に２つのものを提供する：すなわち、クライアントが調整した容量をネットワークから要求することが可能になり、また、調整した伝送容量でのデータ伝送に関して交渉するために信号を送るための方法として、遠隔クライアントにネットワークを介してこの要求を信号として送る。
【０１０９】
さらに、対応するデータセットを備えた記載した方法が、各クライアントの各ユーザネットワークインターフェイスでネットワークによって提供される限り、ユーザネットワークインターフェイスで要求データ、表示データ、応答データおよび確認データのセットを使用するという概念が使用されて、１つのクライアントから別の異なるクライアントへのデータ伝送を制御することができるので、提案した方法は大きな利点がある。
【０１１０】
したがって、提案した方法により、第１のクライアントが１つのデータ伝送接続を介した第２のクライアントへのデータ伝送の容量を制御することを可能にするだけでなく、第１のクライアントが、第３のクライアントにつながる別のデータ伝送接続へのこの１つのデータ伝送接続からの容量をシフトさせることが可能になる。これによって、第１のクライアントは、ネットワークから容量変更を要求し、同時に他のクライアントにこの変更を信号として送る柔軟性のある方法を使用しながら、異なる伝送接続の伝送容量を柔軟に調整するための方法が手元にある。
【０１１１】
第１のクライアントはさらに、第１のクライアントが要求したステータスを変更した入力タイムスロットに対応する、確認データサブセットのサブセットを単にチェックすることによって、遠隔クライアントにより要求が満たされたかどうかをチェックすることができる。遠隔クライアントによって生成された応答データサブセットが、ネットワークによって、タイムスロットに対応する確認データサブセットの上にマッピングされているので、これが可能である。
【０１１２】
データ伝送に関連する２つのクライアントＣ１、Ｃ２がルータである場合、第２のルータＣ２が調整した伝送容量でデータを受信することが可能であることを、第１のルータＣ１が分かっていることが重要である。したがって、提案した方法は、ルータＣ１、Ｃ２が特定のデータ伝送接続に対する調整容量を要求し、同時に、伝送容量の変更がヒットレス方法で、つまりデータトラフィックが伝送容量の変更中に損失しない方法で行なわれることを保証するために、ルータＣ１とＣ２の間で信号を送るための強力なツールを提供する。
【０１１３】
さらに、図７に示すように、伝送ネットワークに対するネットワークエンドポイントノードＮＥＮが提案されている。ネットワークエンドポイントノードＮＥＮは、ユーザネットワークインターフェイスＵＮＩを介してタイムスロットを搬送するフレーム構造ＴＤＭ信号ＴＤＭＵをクライアントＣから受信するようになされた、少なくとも１つのＴＤＭインターフェイスを備えた入口ボード１００を含んでいる。さらに、入口ボード１００は、ネットワークエンドポイントノードＮＥＮから遠端ネットワークエンドポイントノードへのデータ伝送に使用されるデータ伝送ユニット上に受信タイムスロットＴＳのデータをマッピングするためのマッピングユニット１０２を備えている。マッピングされたデータは、マッピングユニットからデータインターフェイス３０３を介してネットワークエンドポイントノードＮＥＮの切換マトリックス１２０に交換される。切換１２０マトリックスは、入口ボードと少なくとも１つの出口ボード１１０の間でデータ伝送ユニットを切り換える。この目的で、切換マトリックス１２０は、別のデータインターフェイス３０４を介して出口ボード１１０とデータ伝送ユニットを介したデータを交換する。出口ボード１１０は、遠端ネットワークエンドポイントノードへのデータ伝送接続に沿って、ネットワーク間インターフェイスＮＮＩを介してデータ伝送ユニットを送信する少なくとも１つのＴＤＭインターフェイス１１１を含んでいる。
【０１１４】
ネットワークエンドポイントノードＮＥＮは、少なくとも１つのタイムスロットに対して、対応するサブセットを含む要求データセットＲＥＱをクライアントＣから受信するようになされた、制御システム１３０を含んでいる。要求データセットＲＥＱは、制御プレーン３００を介して制御システム１３０によってクライアントＣから受信することができる。別の方法では、要求データセットＲＥＱは、図７には示さないが、入口ボード上に配置された、オーバーヘッドユニットによってその後に抽出される、オーバーヘッド情報としてＴＤＭ信号ＴＤＭＵ内で受信することができる。この場合、制御システム１３０は、通信インターフェイス３０１を介して入口ボードに接続している。
【０１１５】
制御システム１３０は、単一のコントローラボード上に、または別の方法では、インターフェイスを介して接続された多数のコントローラボード上で実装することができる。
【０１１６】
要求データサブセットは、既存のデータ伝送接続を識別する識別子、およびクライアントＣによって要求される対応する入力タイムスロットのステータスを示すステータスインジケータを含んでいる。
【０１１７】
受信した要求データサブセットのステータスインジケータが、少なくとも１つのタイムスロットを識別したデータ伝送接続に加える、または少なくとも１つのタイムスロットを識別したデータ伝送接続から取り除く要求を示すと、その後、制御システム１３０は、そのデータ伝送接続の伝送容量を調整する。制御システム１３０は、調整した伝送容量に関してこれらのノードと同意するために、遠端ネットワークエンドノード、場合によってはさらに別のネットワークノードとメッセージを交換することによってそうする。このメッセージ交換は、制御プレーン３００を介して行なうことができる。
【０１１８】
受信した要求データサブセットのステータスインジケータが、対応するタイムスロット内の有効データを示すと、その後、制御システム１３０は、識別されたデータ伝送接続を介してタイムスロットのデータの伝送のためにネットワークエンドポイントノードＮＥＮを構成する。この構成は、制御インターフェイス２００を介して切換マトリックス１２０を、別の制御インターフェイス２０１を介してマッピングユニット１０２を構成することによって、制御システム１３０により行なわれる。
【０１１９】
制御システム１３０は、対応するタイムスロットの要求されたステータスを遠隔クライアントに信号として送るために、遠端ネットワークエンドポイントノードに受信した要求データサブセットを伝送する。この伝送は、制御プレーン３００を介して行なうことができる。別の方法では、この伝送は、遠端ネットワークエンドポイントノードにＴＤＭインターフェイス１１１によって送信されるデータ伝送ユニット内にオーバーヘッド情報として要求データサブセットを挿入することによって行なわれる。この目的で、制御システム制御システム１３０は、通信インターフェイス３０２を介して出口ボード１１０とデータを交換する。
【０１２０】
ネットワークエンドポイントノードはさらに、上に提案した方法のステップを行なうようになされている。
【０１２１】
さらに、ユーザネットワークインターフェイスＵＮＩを介してタイムスロットを搬送するフレーム構造ＴＤＭ信号をネットワークエンドポイントノードＮＥＮに送信するようになされている、少なくとも１つのＴＤＭインターフェイス４００を有する出口ボードを備えた、図８に示すようなクライアントデバイスＣが提案されている。さらに、クライアントデバイスは、タイムスロットの少なくとも１つに対して対応するサブセットを備えた、要求データセットＲＥＱをネットワークエンドポイントノードＮＥＮに伝送するようになされている、制御システム５００を備えている。要求データセットＲＥＱの伝送は、制御プレーン６００を介して制御システム５００によって行なうことができる。別の方法では、要求データセットＲＥＱは、ＴＤＭ信号ＴＤＭＵのオーバーヘッド情報として伝送することができる。この目的で、要求データセットＲＥＱは、図８には示さないが、出口ボード上に配置されたオーバーヘッドユニットにデータインターフェイス７００を介して制御システム５００により送信される。オーバーヘッドユニットは、ＴＤＭ信号ＴＤＭＵ内にオーバーヘッド情報として要求データセットＲＥＱを挿入する。
【０１２２】
要求データサブセットは、ネットワークエンドポイントノードに存在する既存のデータ伝送接続を識別する識別子、および対応するタイムスロットに対する要求されたステータスをネットワークエンドポイントノードに示すためのステータスインジケータを含んでいる。
【０１２３】
制御システム５００は、追加または取り除きの要求を示すそれぞれの値にステータスインジケータを設定することによって、識別されたデータ伝送接続への少なくとも１つのタイムスロットの追加、または識別されたデータ伝送接続からの少なくとも１つのタイムスロットの取り除きをネットワークエンドポイントノードＮＥＮに要求する。
【０１２４】
さらに、制御システム５００は、タイムスロット内の有効データを示すそれぞれの値にステータスインジケータを設定することによって、少なくとも１つのタイムスロット内で搬送れるデータの伝送をネットワークエンドポイントノードＮＥＮに要求する。
【図１】
0005504342.tif 000002
【図２】
0005504342.tif 000003
【図３】
0005504342.tif 000004
【図４】
0005504342.tif 000005
【図５】
0005504342.tif 000006
【図６】
0005504342.tif 000007
【図７】
0005504342.tif 000008
【図８】
0005504342.tif 000009